(57)【要約】【課題】遊技島設備に電源供給用の接続端子が設置されるよりも前に、遊技島設備に設置する際に傾斜検出ユニットを作動させることが可能な弾球遊技機を提供する。【解決手段】パチンコ機１は、筐体６に前扉７を開閉可能に支持する内ヒンジ部材５２Ａ，５２Ｂ及び外ヒンジ部材５１Ａ，５１Ｂを有している。該外ヒンジ部材５１Ｂには、傾斜検出ユニット５５が固定されており、該傾斜検出ユニット５５は、本体部５５ａの内部に、電源部５７と、傾斜検出部を構成する加速度センサ５８と、傾斜判定手段と、表示部を構成するＬＥＤ５６とが備えられている。これにより、傾斜検出ユニット５５は、外部からの電源供給を必要とせずに作動させることができるので、遊技島設備に電源供給用の端子等が設置されるよりも先に、パチンコ機１を遊技島設備に設置する作業を行うことができる。【選択図】図３
2009254640.tif 000002
【特許請求の範囲】
【請求項１】
複数台の弾球遊技機を並列配置し得る遊技島設備に備えられ、
該遊技島設備に対して固定される筐体と、該筐体に開閉可能に支持され得ると共に遊技盤を支持する前扉とを有する弾球遊技機において、
電源を供給し得る電源部と、
該電源部からの電源供給状態で前記遊技島設備に対する前記筐体の傾斜角度を検出し、該検出結果を出力し得る傾斜検出部と、
該傾斜検出部から出力された傾斜情報を表示し得る表示部と、を有する傾斜検出ユニットを前記筐体に備える、
ことを特徴とする弾球遊技機。
【請求項２】
前記筐体は、前記前扉を開閉可能に支持するヒンジ機構及び前記筐体に対して前記前扉を施錠し得る施錠装置のいずれか一方を含む支持手段を備え、
前記傾斜検出ユニットが、前記支持手段に一体的に配設されてなる、
請求項１記載の弾球遊技機。
【請求項３】
前記傾斜検出部は、３軸加速度センサからなる、
請求項１または２記載の弾球遊技機。
【請求項４】
前記電源部は、電池を一体的に備えた状態で電源を供給してなる、
請求項１ないし３のいずれか１項記載の弾球遊技機。
【請求項５】
前記電源部は、電気的接続コードが接続された状態で電源を前記傾斜検出部に供給してなる、
請求項１ないし４のいずれか１項記載の弾球遊技機。
【発明の詳細な説明】
【技術分野】
【０００１】
本発明は、パチンコ機等の弾球遊技機に係り、詳しくは、遊技島設備に対して固定される筐体と、該筐体に開閉可能に支持される前扉とを有する弾球遊技機に関する
【背景技術】
【０００２】
一般に、遊技機、例えばパチンコ機として、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技領域下部のアウト口に流入するように構成されたものが知られている（特許文献１参照）。
【０００３】
このようなパチンコ機では、一般入賞口に入球した際にはそれに対応した個数の遊技球が払い出され、また始動チャッカーに入球した際にはこれに基づいて当たり／外れや演出パターンの抽選が行われると共に所定数の遊技球が払い出される。この抽選結果に基づき選定された演出パターンに応じて、例えば遊技盤の中央部分に設けられた液晶表示画面や各種の照明装置を介した視覚的表現、スピーカを介した聴覚的表現などを用い、様々な演出が行われる。なお、当たり（以下、「大当たり」ともいう）の発生時には、アタッカーと呼ばれる大入賞口が開放し、入球に対応して多量の遊技球が払い出される遊技者に有利な遊技状態となる。
【０００４】
上述したようなパチンコ機は、遊技場（所謂ホール）内の遊技島と呼ばれる区域において、一方向に延在するランプ板や幕板に沿って列状に順次隣接した形で複数が配置されている（特許文献２参照）。このように、多数のパチンコ機が整列した遊技島を多数備えた遊技場内の遊技島設備において、遊技者は、好みのパチンコ機に対面して着座し、パチンコ機固有の遊技手法に沿って遊技を進める。
【０００５】
ところで、パチンコ機における筐体及び前扉等からなる遊技機本体はもとより、該本体に備えられた遊技盤の傾斜角度（所謂ネカセ）は、釘の傾斜や間隔と共に遊技球の流れを左右する重要な要素である。そのため、パチンコ機を設置する場合には、遊技盤の傾斜が適切な傾斜角度（通常、遊技盤の上端側が下端側に対して後方となるように僅かに傾く角度）となるように、遊技盤を含む遊技機本体の傾斜を測定しながらパチンコ機を取付け工事する必要がある。
【０００６】
そこで、水準器、発光ダイオード、及びフォトトランジスタからなる傾斜センサを有する傾斜測定器を備え、該傾斜センサによって検出した傾斜角度を、傾斜情報としてパチンコ機前面側に設けた表示部やホールコンピュータに出力するように構成された傾斜測定器付きのパチンコ機が案出されている（特許文献３参照）。
【０００７】
【特許文献１】特開２００３−２３６２１０号公報
【特許文献２】特開２００４−８５８９号公報
【特許文献３】特開２００２−３５３９３号公報
【発明の開示】
【発明が解決しようとする課題】
【０００８】
しかし、上記特許文献３のパチンコ機にあっては、遊技機本体及び該本体に含まれる遊技盤の傾斜角度を適切に調整しつつ遊技島設備に取付け工事する際に、傾斜測定器の発光ダイオードやフォトトランジスタ等を作動させようとすると、電源供給が必要となる。このため、パチンコ機を遊技島設備に設置しようとするときには、該遊技島設備に電源供給用の接続端子が各パチンコ機に対応するように設けられていなくてはならない。
【０００９】
そのため、パチンコ機の機種の入替え作業を行うような場合には特に問題はないが、例えば遊技場を新設する場合等、即ち、遊技島設備自体を新設するような場合には、パチンコ機を遊技島設備に対して設置するよりも先に、該遊技島設備に各パチンコ機に対応するように電源供給用の接続端子を設置するという煩雑な作業（工事）を予め行わなくてはならない。
【００１０】
そこで本発明は、遊技島設備に電源供給用の接続端子が設置されるよりも前に、遊技島設備に設置する際に傾斜検出ユニットを作動させることを可能とし、もって上記課題を解決した弾球遊技機を提供することを目的とするものである。
【課題を解決するための手段】
【００１１】
請求項１に係る本発明は（例えば図１ないし図８参照）、複数台の弾球遊技機（１）を並列配置し得る遊技島設備（Ｉｓ）に備えられ、
該遊技島設備に対して固定される筐体（６）と、該筐体に開閉可能に支持され得ると共に遊技盤（３）を支持する前扉（７）とを有する弾球遊技機（１）において、
電源を供給し得る電源部（５７）と、
該電源部からの電源供給状態で前記遊技島設備（Ｉｓ）に対する前記筐体（６）の傾斜角度を検出し、該検出結果を出力し得る傾斜検出部（５８）と、
該傾斜検出部から出力された傾斜情報を表示し得る表示部（５６）と、を有する傾斜検出ユニット（５５）を前記筐体（６）に備える、
ことを特徴とする弾球遊技機（１）にある。
【００１２】
請求項２に係る本発明は（例えば図３及び図５参照）、前記筐体（６）は、前記前扉（７）を開閉可能に支持するヒンジ機構（５０）及び前記筐体に対して前記前扉（７）を施錠し得る施錠装置（１３）のいずれか一方を含む支持手段（５０，１３）を備え、
前記傾斜検出ユニット（５５）が、前記支持手段（５０の例えば５１Ａ又は５１Ｂ，１３の例えば１３ｂ）に一体的に配設されてなる、
請求項１記載の弾球遊技機（１）にある。
【００１３】
請求項３に係る本発明は（例えば図４参照）、前記傾斜検出部（５８）は、３軸加速度センサからなる、
請求項１または２項記載の弾球遊技機（１）にある。
【００１４】
請求項４に係る本発明は（例えば図４参照）、前記電源部（５７）は、電池を一体的に備えた状態で電源を供給してなる、
請求項１ないし３のいずれか１項記載の弾球遊技機（１）にある。
【００１５】
請求項５に係る本発明は（例えば図４参照）、前記電源部（５７）は、電気的接続コードが接続された状態で電源を前記傾斜検出部（５８）に供給してなる、
請求項１ないし４のいずれか１項記載の弾球遊技機（１）にある。
【００１６】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１７】
請求項１に係る本発明によると、電源を供給し得る電源部と、電源部からの電源供給状態で遊技島設備に対する筐体の傾斜角度を検出し、該検出結果を出力し得る傾斜検出部と、該傾斜検出部から出力された傾斜情報を表示し得る表示部と、を有する傾斜検出ユニットを筐体に備えているので、弾球遊技機を遊技島設備に設置する際、該遊技島設備側からの電源供給を受けることなく、傾斜検出部及び表示部から得た精細な傾斜データを用いて、遊技盤を有する弾球遊技機を該遊技盤と共に適正な傾斜角度で設置することができる。これにより、遊技島設備における電源供給のための作業（工事）に先んじて、遊技島設備に対して弾球遊技機を設置する作業（工事）を行うことができ、遊技場を新設するような場合にも、作業（工事）のスケジュールに自由度を持たせることができて、円滑な作業（工事）を行うことができる。
【００１８】
請求項２に係る本発明によると、傾斜検出ユニットが、筐体の前扉を開閉可能に支持するヒンジ機構及び筐体の前扉を施錠し得る施錠装置のいずれか一方を含む支持手段に一体的に配設されているので、遊技島設備に対して弾球遊技機を設置する際、筐体部分を先に該遊技島設備に設置し、その後、前扉部分を筐体部分に取付けるようにする場合であっても、遊技島設備に適正な傾斜角度で設置された筐体に対する前扉の相対位置が支持部を介して一義的に決まることで、遊技盤面の傾斜角度を正確に引き出すことができる。
【００１９】
請求項３に係る本発明によると、傾斜検出部は、３軸加速度センサからなるので、傾斜検出ユニットを簡単な構成にできるものとしながら、例えば弾球遊技機に対して衝撃を与えたりする不正行為を検出することも可能になる。
【００２０】
請求項４に係る本発明によると、電源部は、電池を一体的に備えた状態で電源を供給するので、電池で電源供給を行うコンパクトな傾斜検出ユニットとして、外部からの電源供給がない状態でも作動することができ、遊技島設備における電源供給のための作業（工事）よりも先に、遊技島設備に対して弾球遊技機を設置する作業（工事）が極めて有効に実現する。
【００２１】
請求項５に係る本発明によると、電源部は、電気的接続コードが接続された状態で電源を傾斜検出部に供給するので、弾球遊技機を適正な傾斜角度で設置しながら、弾球遊技機を設置した後は、遊技島設備側からの安定した電源供給のもとで不正行為の検出をすることも可能になる。
【発明を実施するための最良の形態】
【００２２】
以下、本発明に係る弾球遊技機の実施の形態として、遊技場等に設置されるパチンコ機を図面に沿って説明する。後述する実施の形態では、本発明の弾球遊技機を所謂１種のパチンコ機として述べるが、本発明はこれに限らず、１種１種など、他の種別のパチンコ機や雀球遊技機等にも適用可能であることは勿論である。なお、図１は本発明に係るパチンコ機１の外部構造を示す正面図、図２はパチンコ機１の背面構造を示す背面図である。
【００２３】
パチンコ機１は、図１に示すように、発射ハンドル２の操作による発射装置（図示せず）の作動で遊技球（所謂パチンコ玉）を遊技盤３の遊技領域３ａに向かって打ち出しつつ遊技を行うもので、所謂確率変動等の大当たりが発生した状態でアタッカー２９に入球した遊技球に対応する数の遊技球を払い出すように構成されている。上記確率変動当たり（「確変当たり」とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００２４】
本パチンコ機１は、開口を有する枠体状の筐体６と、筐体６に開閉可能に支持されると共に遊技盤３を支持する前扉７とを備えている。前扉７は、透明ガラス９が嵌め込まれた状態で開閉自在に支持される扉状のガラス枠１０を有している。また、前扉７は、図３に示すように、ヒンジ機構（支持手段）５０を介して筐体６に対して開閉可能に支持されている。該ヒンジ機構５０は、筐体６の左上部及び左下部にそれぞれネジによって固定された外ヒンジ部材５１Ａ，５１Ｂと、前扉７の左上部及び左下部にそれぞれネジによって固定された内ヒンジ部材５２Ａ，５２Ｂとによって構成されており、該外ヒンジ部材５１Ａ，５１Ｂに設けられた支柱部と、内ヒンジ部材５２Ａ，５２Ｂに設けられ、該支柱部の外周面と略々同等の曲率を有する内面を有する湾曲部とがそれぞれ係合することで筐体６と前扉７とを開閉可能に支持している。さらに、外ヒンジ部材５１Ｂには、詳しくは後述する傾斜検出ユニット５５が配置されている。
【００２５】
遊技盤３の表面には、図１に示すように、発射ハンドル２の操作時に発射装置（図示せず）によって打ち出される遊技球Ｂａを遊技領域３ａに案内するガイドレール８が配置されている。ガラス枠１０前面の左右には演出用照明装置１１が配設されており、ガラス枠１０前面の上部左右、及び、ガラス枠１０下部の後述する皿ユニット１６の左右には、スピーカを有する放音装置１２がそれぞれ配設されている。なお、筐体６及び前扉７等により遊技機本体が構成されている。
【００２６】
本パチンコ機１には、遊技中に遊技領域３ａにて入賞することなく落下してアウト口（図示せず）に進入した遊技球をパチンコ機背面側に導くアウト球通路（図示せず）が設けられている。また、ガラス枠１０の正面視中央部右側には、前扉７をガラス枠１０と共に筐体６に対して施錠・解放し、或いは、ガラス枠１０を前扉７に対して施錠・解放するための施錠装置（支持手段）１３が配設されている。
【００２７】
該施錠装置１３は、図３に示すように、鍵穴が設けられたシリンダ（図示せず）を有する操作部１３ｃと、該操作部１３ｃにリンク機構（図示せず）によって連結され、前扉７の右側部の上下２箇所に設けられたロックアーム１３ａ，１３ａと、該ロックアーム１３ａ，１３ａをそれぞれ係止するロック爪１３ｂ、１３ｂとによって構成されている。
【００２８】
ガラス枠１０の下部中央には、図１に示すように、遊技中の遊技球を保持する皿ユニット１６が設けられており、該皿ユニット１６における右上部には、賞球及び貸球を含む遊技球が供給される球供給口１７が設けられ、皿ユニット１６における右上部壁面には、球貸ボタン１９ａ及びプリペイドカード返却ボタン１９ｂが設けられている。皿ユニット１６の中央部左方には、該皿ユニット１６上の遊技球を発射装置（図示せず）付近から皿ユニット下部の球排出口（図示せず）を通して下方に排出するための第１球抜きボタン２０ａが設けられ、皿ユニット１６の中央部下方には、皿ユニット１６上の遊技球を球供給口１７付近から上記球排出口を通して下方に排出するための第２球抜きボタン２０ｂが設けられている。
【００２９】
また、皿ユニット１６の右側下方には、上記発射装置を操作して遊技球を遊技盤３に向けて打ち出すための発射ハンドル２が設けられている。更に、皿ユニット１６の下部左方には、台座部１５と灰皿２１とが配設されており、該台座部１５には、その中央部に遊技参加ボタン２２が配設されている。
【００３０】
遊技領域３ａの中央部分には、ステージＳを有するセンター飾り２５が配設されている。該センター飾り２５の左右下方には、大当たり抽選に寄与しない一般の入賞が行われる入賞口２６ａ，２６ｂがそれぞれ配設されており、センター飾り２５の中央部下方には、始動チャッカー２７と、アタッカー２９とが順次配設されている。
【００３１】
始動チャッカー２７は、大当たり抽選実行の契機となり得る入賞が行われるものであり、開放位置と閉止位置とに開閉動作するように始動チャッカー開閉ソレノイド３０（図７参照）によって作動させられる。始動チャッカー２７の直上方には、所謂命釘としての一対の障害釘３１が打ち込まれている。
【００３２】
アタッカー２９は、大当たり発生時に開放され、遊技領域３ａに打ち出されて転動落下する遊技球を入賞させるものであり、大当たり発生中、例えば、１回の開放で９個の入球を完了した時点で閉じ、当該開閉動作を１５回（つまり、１５ラウンド）繰り返すように構成される。なお、これらの入球数並びに開閉動作の回数は、９個や１５回に限定されることはなく、必要に応じて適宜設定され得るものである。
【００３３】
遊技領域３ａには、センター飾り２５の四方に風車３２がそれぞれ配設されており、ステージＳの下方における始動チャッカー２７の左側には、スルーゲート３３が配設されている。該スルーゲート３３は、始動チャッカー２７を開閉動作させるための普通図柄抽選の契機となる遊技球通過が行われる役物である。
【００３４】
遊技領域３ａにおけるスルーゲート３３、入賞口２６ａ，２６ｂ及び始動チャッカー２７等の周囲には、センター飾り２５のステージＳから零れた遊技球や、発射されてからステージＳに関与せずに落下してくる遊技球を適宜散らし、或いは入球に導くようにするための障害釘３４を含む多数の障害釘が打ち込まれている。
【００３５】
センター飾り２５は、その中央部に、遊技盤３側に固定された画像表示装置３５を露出する開口３６を有し、左上部にワープ導入口３７を有し、開口３６の下側に上記ステージＳを有し、該ステージＳの下側に、ステージＳ上で転動して該ステージＳの所定位置の落下孔（図示せず）に落下した遊技球を始動チャッカー２７に向け放出する放出口３８を有している。ワープ導入口３７には、これに対向するように一対の障害釘３９が打ち込まれている。ワープ導入口３７の周囲や上方側にも、遊技球を適宜散らし、或いは入球に導くようにするための多数の障害釘（図示せず）が打ち込まれている。このような本パチンコ機１では、遊技領域３ａに打ち出された遊技球Ｂａを始動チャッカー２７等に、ステージＳを介して入球させ又はステージＳを介さず直接入球させ得るように遊技が進められる。
【００３６】
なお、上記「ワープ」という語句は、遊技領域３ａに打ち出された遊技球を、当該遊技領域３ａの比較的下側に位置する不図示の道釘等を経ることなく、始動チャッカー２７の上に導くことを意味する概念である。また、上記「道釘」とは、遊技領域３ａにおいて始動チャッカー２７左右に打ち込まれた複数本の障害釘（図示せず）の列を意味するもので、上方から転動落下してきた遊技球を始動チャッカー２７方向に導く役割を担っている。
【００３７】
ついで、本パチンコ機１の背面構造について図２を参照して説明する。
【００３８】
すなわち、図２に示すように、パチンコ機１の前扉背面における上部左方には、賞球タンク４０が取付けられており、この賞球タンク４０の下方に、副制御基板４１、主制御基板４２、及び払出し制御基板４３がこの順に配設されている。また、前扉７背面における上部右方には、外部端子板４４が取付けられており、該外部端子板４４の下方に、整列待機通路４５、賞球装置４６、賞球排出通路４７、電源ユニット４８、及び発射装置（図示せず）用の発射制御基板４９がこの順に配設されている。パチンコ機１の前扉７背面における左側部には、施錠装置１３が配設されている。
【００３９】
ついで、本発明の特徴である、傾斜検出ユニット５５について図４を参照して説明する。なお、図４は傾斜検出ユニット５５を示す説明図であり、（ａ）は斜視図、（ｂ）は傾斜検出ユニット５５の構成を模式的に示した模式図である。
【００４０】
傾斜検出ユニット５５は、図４（ａ）に示すように、本体部５５ａと、該本体部５５ａを上記外ヒンジ部材（支持部）５１Ｂに固定するための板状部５５ｂとによって構成されている。該本体部５５ａの内部には、図４（ｂ）に示すように、電源部５７と、傾斜検出部を構成する加速度センサ５８と、傾斜判定手段６０と、表示部を構成するＬＥＤ５６とが備えられている。また板状部５５ｂには、固定ネジＡを挿入するための孔５５ｃが穿設されている。
【００４１】
上記電源部５７は、アルカリ電池等の、所謂乾電池によって構成されており、外部からの電源供給がない状態でも傾斜検出ユニット５５を作動させることを可能としている。なお、該電源部５７は、アルカリ電池等の乾電池であるように説明したが、これに限らず、例えばリチウムイオン電池等の充電可能な電池としてもよく、つまり、パチンコ機１の設置を行う際に独立して電源を供給できるものであればどのような電源でもよい。
【００４２】
上記加速度センサ５８は、３軸加速度センサによって構成されており、内部の錘部材（図示せず）の質量に作用した重力加速度を検出し、傾斜検出ユニット５５の傾斜角度、つまり該傾斜検出ユニット５５が一体的に固定されたパチンコ機１の傾斜角度に対応する傾斜検出信号を傾斜データとして傾斜判定手段６０に出力する。
【００４３】
該傾斜判定手段６０は、上記加速度センサ５８から入力された傾斜データ（傾斜検出信号）に基づいて、ＬＥＤ５６を発光駆動させるように駆動信号を送る。
【００４４】
該ＬＥＤ５６は、１つのフルカラーＬＥＤによって構成されており、傾斜判定手段６０からの駆動信号に基づいて、傾斜検出ユニット５５（パチンコ機１）の傾斜角度に応じた色が点灯するように構成されている。即ち、ＬＥＤ５６は、パチンコ機１の傾斜角度が、遊技島設備Ｉｓ（図５参照）に設置する際の適正な範囲（約１度）にある場合には、緑色に点灯し、そうでない場合は、赤色に点灯するように構成されている。これにより、パチンコ機１を遊技島設備Ｉｓに設置する場合において、作業者は、傾斜検出ユニット５５のＬＥＤ５６を目視することで、容易に適正な傾斜角度に調整することができる。また、傾斜検出ユニット５５は、外部からの電源供給を必要とせずに作動させることができるので、遊技島設備Ｉｓに電源供給用の端子等が設置されるよりも先に、パチンコ機１を遊技島設備Ｉｓに設置する作業を行うことができる。なお、上記表示部としてのＬＥＤ５６は、１つのフルカラーＬＥＤによって構成されているように説明したが、これに限らず、例えば単色のＬＥＤを複数種類用いたり、７セグメントの表示装置を用いたり、液晶パネルの表示装置を用いて構成してもよい。
【００４５】
ところで、本実施の形態に係るパチンコ機１は、前扉７を筐体６に対して閉じた状態において、上記外ヒンジ部材５１Ａ，５１Ｂ、内ヒンジ部材５２Ａ，５２Ｂ、施錠装置１３、及び遊技盤３が一義的に位置関係が決定するように構成されている。このため、図５に示すように、作業員は、外ヒンジ部材５１Ｂを介して傾斜検出ユニット５５が固定された筐体６を遊技島設備Ｉｓに対して固定する際に、傾斜検出ユニット５５のＬＥＤ５６の表示に基づいて、筐体６を遊技島設備Ｉｓに対して固定することで、パチンコ機１における筐体６及び前扉７等からなる遊技機本体はもとより、該本体に備えられた遊技盤３の傾斜角度（所謂ネカセ）を容易に適正な傾斜角度に調整することができる。その後、外ヒンジ部材５１Ａ，５１Ｂに内ヒンジ部材５２Ａ，５２Ｂを係合させ、即ち、筐体６に前扉７を取り付け、前扉７を閉じることで、パチンコ機１が遊技島設備Ｉｓに対して適正な傾斜角度で設置される。なお、図５における符号１´ａ，１´ｂ，１´ｃは、遊技島設備Ｉｓに筐体６だけが取り付けられた状態を示しており、符号１ｄ，１ｅ，１ｆは、前扉７を取り付け、設置が完了した状態のパチンコ機を示している。
【００４６】
また、本実施の形態に係る傾斜検出ユニット５５は、図４（ａ），（ｂ）に示すように、加速度センサ５８を後述する遊技制御装置８０（図７参照）に電気的に接続するための通信用のハーネスＨ１（図７参照）が接続される接続端子５９ａを、本体部５５ａの側面に有している。さらに、遊技島設備Ｉｓ側の電源（図示せず）に接続するための電源供給用のハーネス（電気的接続コード）Ｈ２（図７参照）が接続される接続端子５９ｂを、本体部５５ａの側面に有している。これにより、パチンコ機１は、これらのハーネスが接続された状態を維持されることによって、遊技中に例えば強い衝撃が与えられるといったような不正行為が行われた場合にも、電源供給用のハーネスの接続による安定した電源供給のもとで、加速度センサ５８によって該衝撃が与えられた際の加速度をニュートンの法則（Ｆ＝ｍＡ）に基づいて検出することで、不正行為の検出を的確に行うことができる。
【００４７】
なお、本発明に使用し得る加速度センサとして、上述したように錘部材と該錘部材を支持する支持部材（図示せず）を有して構成され、該支持部材に加わる力を検出することで加速度を求めるものが知られているが、これらは、それぞれに力の検出原理が異なる。即ち、ピエゾ抵抗効果を利用したピエゾ抵抗型、静電容量の変化を利用した静電容量型、或いは、圧電効果を利用した圧電型等を挙げることができる。そして、本実施の形態では、加速度におけるベクトル量であるＸ，Ｙ，Ｚ軸の全ての成分を１個で検出し得るピエゾ抵抗型３軸加速度センサ、静電容量型３軸加速度センサ、圧電型３軸加速度センサの何れかを用いる。
【００４８】
なお、本実施の形態では、傾斜検出ユニット５５をヒンジ機構５０の外ヒンジ部材５１Ｂに固定するように説明したが、傾斜検出ユニット５５を外ヒンジ部材（支持部）５１Ａに固定する構成としても、本発明が成立することは言うまでもない。
【００４９】
また、図６に示すように、傾斜検出ユニット５５を施錠装置１３のロック爪１３ｂに固定する構成としても本発明が成立することは勿論である。その場合、例えば、下側のロック爪１３ｂを筐体６に固定している金属部１３ｄに対し、板状部５５ｂの孔５５ｃから固定ネジＡを螺入して傾斜検出ユニット５５を該金属部１３ｄ（つまり、ロック爪１３ｂ）に取り付けるのである。
【００５０】
次に、本実施の形態におけるパチンコ機１の制御系を図７を参照して説明する。なお、図７はパチンコ機１の制御系を示すブロック図である。
【００５１】
すなわち、図７に示すように、本制御系は、遊技制御装置８０と、該遊技制御装置８０に電気的に接続された、始動チャッカー開閉ソレノイド３０、アタッカー開閉ソレノイド７５、放音装置１２、演出用照明装置１１、画像表示装置３５、及び傾斜検出ユニット５５と、を備えている。
【００５２】
遊技制御装置８０は、図２に示した主制御基板４２や副制御基板４１等から構成されている。主制御基板４２は、本パチンコ機１の動作全体を統括的に管理するものであり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。また、副制御基板４１は、主に画像表示、効果音等の演出、効果光等の表示制御を行うように構成されている。
【００５３】
遊技制御装置８０は、入賞判定手段８１、入賞信号出力手段８２、抽選手段８３、普通図柄抽選手段８５、遊技制御手段８６、保留手段８７、作動制御手段８８、演出制御手段９０、不正行為判定手段７２、及び表示制御手段９１を備えている。
【００５４】
入賞判定手段８１は、発射ハンドル２の操作で作動する発射装置（図示せず）によって遊技領域３ａに打ち出された遊技球が始動チャッカー２７、入賞口２６ａ，２６ｂ、アタッカー２９等の何れかに入賞したとき、当該入賞があった旨を判定する。
【００５５】
入賞信号出力手段８２は、入賞判定手段８１によって入賞が判定されたとき、対応する始動チャッカー２７、入賞口２６ａ，２６ｂ、アタッカー２９等に入賞した旨の入賞信号を出力する。
【００５６】
抽選手段８３は、入賞信号出力手段８２からの始動チャッカー２７に対応する入賞信号の入力時、最大保留球数（例えば４個）未満での入賞を契機として、乱数値を取得して大当たり抽選を実行する。そして抽選手段８３は、大当たり抽選で確率変動当たりに当選した場合には、変動の結果「３３３」や「７７７」等の装飾図柄が画像表示装置３５の画面上の大当たり有効ライン上で最終的に揃う旨の変動パターンを決定し、その旨の変動パターン信号を出力する。なお、上記「大当たり有効ライン」は、大当たりを得るため装飾図柄が一列に並ぶべき位置（ライン）を意味する。
【００５７】
また抽選手段８３は、大当たり抽選で通常大当たりに当選した場合には、変動の結果「２２２」や「４４４」等の装飾図柄が大当たり有効ライン上で最終的に揃う旨の変動パターンを決定し、その旨の変動パターン信号を出力する。更に抽選手段８３は、大当たり抽選で外れた場合には、変動の結果「２５８」や「５８５」等の装飾図柄が大当たり有効ライン上で最終的に揃う旨の変動パターンを決定し、その旨の変動パターン信号を出力する。
【００５８】
普通図柄抽選手段８５は、始動チャッカー２７を開閉動作させるか否かの普通図柄抽選を、この普通図柄抽選の保留球数（例えば４個）の範囲内で、スルーゲート３３への入球を契機として実行する。
【００５９】
遊技制御手段８６は、放音装置１２、演出用照明装置１１に放音、発光駆動等の演出をさせる契機となる指令を演出制御手段９０に送る。更に、遊技制御手段８６は、予め設定された演出データや、抽選手段８３での抽選結果に応じて画像表示装置３５に表示すべき大当たり抽選に関連する演出内容に関する信号を表示制御手段９１に送る。
【００６０】
保留手段８７は、抽選手段８３から出力された変動パターン信号を入力し、変動パターンを、始動チャッカー２７への入賞の都度に行われた抽選の結果となる保留球として順次記憶する。当該記憶状況は、不図示の大当たり抽選保留表示装置に、最大４個の保留球となるように点灯表示される。保留手段８７は、保留球数が４個になっているか否かを常時判定し、保留球数が４個表示されている間は、始動チャッカー２７への入賞に拘わらず大当たり抽選は行わない。なお、保留球として点灯表示される保留球数は上記「最大４個」に限らず、例えば３個以下、又は５個以上として適宜設定することも可能である。
【００６１】
作動制御手段８８は、所定のタイミングで始動チャッカー開閉ソレノイド３０に駆動信号を送って該ソレノイド３０を作動させ、始動チャッカー２７を開閉動作させる。また、作動制御手段８８は、所定のタイミングでアタッカー開閉ソレノイド７５に駆動信号を送り、アタッカー２９を例えば１５ラウンドだけ開閉動作させるように制御する。
【００６２】
演出制御手段９０は、遊技制御手段８６の指令に応答して、放音装置１２を放音駆動し、演出用照明装置１１を発光駆動して遊技者の聴覚や視覚に訴える演出を行う。
【００６３】
不正行為判定手段７２は、上記加速度センサ５８によって検出された加速度値の信号が通信用のハーネスＨ１を介して入力されており、該加速度値のレベルが所定レベルを越えていれば不正行為の発生と判断することができる。例えば、遊技者が皿ユニット１６を奥に押し込むような強い衝撃を与えることが考えられるので、この場合に加速度センサ５８に生じる手前―奥方向の加速度値の基準データを予めテーブルに格納しておく。同様に上下方向及び左右方向の加速度値の基準データも予め格納しておく。そして、パチンコ機１が衝撃を受け、加速度センサ５８からの検出信号がテーブルに格納した基準の加速度値を上回る場合、不正行為判定手段７２は、不正行為発生と判定して演出制御手段９０にその旨の検出信号を送る。これに応答して、演出制御手段９０は、放音装置１２を駆動させ、不正行為をやめる旨の警告音やメッセージを放音させる。
【００６４】
なお、不正行為判定手段７２は、加速度センサ５８からの検出信号と予めテーブルに格納した基準の加速度値とを比較することにより、パチンコ機１が衝撃を受けたことを判定するように説明したが、これに限らず、例えば電源投入時の傾斜角度（所謂ネカセ）を読み込み、加速度センサ５８からの検出信号が、この読み込んだ傾斜角度から一定以上の傾斜角度を検出した場合に不正行為と判定して演出制御手段９０にその旨の検出信号を送るように構成してもよく、また、これら両方の不正行為を判定し得るように構成してもよい。
【００６５】
表示制御手段９１は、遊技制御手段８６からの信号に従って、画像表示装置３５を駆動し、大当たり抽選結果を中心とした内容等の演出を、遊技者の視覚に訴えるように演出表示する。
【００６６】
次に、本パチンコ機１による作用について、図８のフローチャートを併せて参照しつつ説明する。
【００６７】
本パチンコ機１に対面して着座した遊技者が、発射ハンドル２を握って適宜の角度に回動操作すると（ステップＳ１）、不図示の発射装置が作動して、遊技球を所定の時間間隔で遊技領域３ａに向けて連続的に発射させる。すると、遊技領域３ａに打ち出されて転動落下する多数の遊技球は、始動チャッカー２７や入賞口２６ａ，２６ｂ等に適時入賞し、或いは、これらに関与せずに転動落下して、遊技領域３ａ最下部のアウト口（図示せず）から遊技盤３背面側に排出される。
【００６８】
また、遊技領域３ａに打ち出された遊技球の一部がワープ導入口３７に入球すると、その遊技球はステージＳ上に放出された後、該ステージＳの傾斜に沿って転動し、或るものはそのまま遊技領域３ａへと落下し、或るものは放出口３８から始動チャッカー２７に向けて放出され、高い入賞確率（略１００％）で該チャッカー２７に入賞する。
【００６９】
ところで、上述したように始動チャッカー２７や入賞口２６ａ，２６ｂ等の入賞口の何れかに入賞した場合、入賞判定手段８１が当該入賞を判定し、且つ入賞信号出力手段８２が入賞信号を出力する（ステップＳ２）。この際、保留手段８７は、保留球Ｈが０＜Ｈ＜５であるか否かを常時判定しており、０＜Ｈ＜５を満たすと判定したときには、保留している変動パターンに係る信号を、遊技制御手段８６を介して表示制御手段９１に順次送信し、図柄変動禁止フラグをオンすると共に、図柄変動タイマをセットし、変動パターン信号の送信に応じて保留球数を１デクリメントする。また保留手段８７は、当該保留球の消費に応じて保留球数ＨがＨ＜４となった場合、抽選手段８３で行われる始動チャッカー２７への入賞に応じた大当たり抽選の結果を保留球として記憶し、保留球数を１インクリメントする。
【００７０】
また、ステップＳ３において、大当たり抽選で当選した場合、抽選手段８３が当たりフラグをオンすると、抽選手段８３が、不図示の演出用メモリに格納された演出乱数値に基づく抽選で、大当たりの種別、つまり確変当たり又は通常当たりに対応する変動パターンを決定する。
【００７１】
これにより、ステップＳ４において、画像表示装置３５に表示されるべき当たり図柄がセットされ、抽選手段８３は、その旨の変動パターン信号を出力すると共に、当該変動パターン信号に基づく演出表示が終了するまでは次の変動パターン信号を送信しないようにするために図柄変動禁止フラグをオンし、当該オンした図柄変動禁止フラグを解除する時間を計測するための図柄変動タイマをセットし、変動パターン信号の送信に応じて保留球数を１デクリメントする。
【００７２】
一方、ステップＳ３において大当たり抽選で外れた場合には、演出用メモリに格納された演出乱数値に基づく抽選で、変動の結果、外れに対応する図柄が最終的に揃う旨の変動パターンが決定される。これにより、画像表示装置３５に表示される外れ図柄がセットされ、抽選手段８３は、その旨の変動パターン信号を出力すると共に、図柄変動禁止フラグをオンし、図柄変動タイマをセットし、変動パターン信号の送信に応じて保留球数を１デクリメントする。
【００７３】
以上のようにして、遊技制御手段８６が、画像表示装置３５に表示すべき演出内容に関する信号を、表示制御手段９１に送信することに基づき、表示制御手段９１は、画像表示装置３５を適時駆動し、大当たり抽選結果に関する内容等を、遊技者の視覚に訴えるように演出表示することとなる（ステップＳ５）。
【００７４】
そして、画像表示装置３５の画面上に表れた抽選結果が大当たり決定である場合、作動制御手段８８は、所定のタイミングでアタッカー開閉ソレノイド７５に駆動信号を送り、当該ソレノイド７５を作動させてアタッカー２９を開放し、９個の入球が完了する（又は所定時間が経過する）毎に閉塞する動作を１５回（つまり、１５ラウンド）繰り返させる（ステップＳ６）。これにより、アタッカー２９に入賞した遊技球に対応する多量の遊技球が、球供給口１７から皿ユニット１６に払い出される。
【００７５】
以上説明した本実施の形態によれば、電源を供給し得る電源部５７と、該電源部５７からの電源供給状態で遊技島設備Ｉｓに対する筐体６の傾斜角度を検出し、該検出結果を出力し得る加速度センサ５８と、該加速度センサ５８から出力された傾斜情報を表示し得るＬＥＤ５６と、を有する傾斜検出ユニット５５を筐体６に備えているので、パチンコ機１を遊技島設備Ｉｓに設置する際、該遊技島設備Ｉｓ側からの電源供給を受けることなく、加速度センサ５８及びＬＥＤ５６から得た精細な傾斜データを用いて、遊技盤３を有するパチンコ機１を遊技盤３と共に適正な傾斜角度で設置することができる。これにより、遊技島設備Ｉｓにおける電源供給のための作業（工事）に先んじて、遊技島設備Ｉｓに対してパチンコ機１を設置する作業（工事）を行うことができ、遊技場を新設するような場合にも、作業（工事）のスケジュールに自由度を持たせることができて、円滑な作業（工事）を行うことができる。
【００７６】
具体的には、傾斜検出ユニット５５が、筐体６の前扉７を開閉可能に支持する外ヒンジ部材５１Ｂ（又は５１Ａ）に一体的に配設されているので、遊技島設備Ｉｓに対してパチンコ機１を設置する際、筐体６部分を先に該遊技島設備Ｉｓに設置し、その後、前扉７部分を筐体６部分に取付けるようにする場合であっても、遊技島設備Ｉｓに適正な傾斜角度で設置された筐体６に対する前扉７の相対位置が外ヒンジ部材５１Ｂ（又は５１Ａ）を介して一義的に決まることで、遊技盤面（遊技盤３）の傾斜角度を正確に検出することができる。
【００７７】
また、傾斜検出ユニット５５が、筐体６の前扉７を施錠し得る施錠装置１３に一体的に配設されているので、遊技島設備Ｉｓに対してパチンコ機１を設置する際、筐体６部分を先に該遊技島設備Ｉｓに設置し、その後、前扉７部分を筐体６部分に取付けるようにする場合であっても、遊技島設備Ｉｓに適正な傾斜角度で設置された筐体６に対する前扉７の相対位置が施錠装置１３のロック爪１３ｂを介して一義的に決まることで、遊技盤面（遊技盤３）の傾斜角度を正確に検出することができる。
【００７８】
また、加速度センサ５８は、３軸加速度センサからなるので、傾斜検出ユニット５５を簡単な構成にできるものでありながら、例えばパチンコ機１に対して衝撃を与えたりする不正行為を検出することもできる。
【００７９】
さらに、電源部５７は、一体的に備えられた状態で電源を供給するので、電池で電源供給を行うコンパクトな傾斜検出ユニット５５として、外部からの電源供給がない状態でも作動することができ、遊技島設備Ｉｓにおける電源供給のための作業（工事）よりも先に、遊技島設備Ｉｓに対してパチンコ機１を設置する作業（工事）を行うことができる。
【００８０】
また、電源部５７は、電源供給用のハーネスが接続された状態で電源を加速度センサ５８に供給するので、遊技島設備Ｉｓ側からの電源供給を受けることなく、パチンコ機１を適正な傾斜角度で設置しながら、パチンコ機１を設置した後は、遊技島設備Ｉｓ側からの安定した電源供給のもとで不正行為の検出をすることもできる。
【００８１】
以上、本発明をその好適な実施の形態に基づいて説明したが、本発明の弾球遊技機は、上記実施形態の構成にのみ限定されるものではなく、上記実施形態の構成から種々の修正及び変更を施した弾球遊技機も、本発明の範囲に含まれる。
【図面の簡単な説明】
【００８２】
【図１】本発明の実施の形態におけるパチンコ機の外部構造を示す正面図である。
【図２】本パチンコ機の背面構造を示す背面図である。
【図３】本パチンコ機の前扉を開放した状態を示す斜視図である。
【図４】傾斜検出ユニットを示す説明図であり、（ａ）は斜視図、（ｂ）は傾斜検出ユニットの構成を模式的に示した模式図である。
【図５】本パチンコ機を設置する際の遊技島設備を示す正面図である。
【図６】本パチンコ機の前扉を開放した状態を示す正面図である。
【図７】本パチンコ機の制御系を示すブロック図である。
【図８】本パチンコ機による作動を説明するためのフローチャートである。
【符号の説明】
【００８３】
１        弾球遊技機（パチンコ機）
３        遊技盤
６        筐体
７        前扉
１３      支持手段（施錠装置）
１３ｂ    施錠装置（ロック爪）
５０      支持手段（ヒンジ機構）
５１Ａ，５１Ｂ    外ヒンジ部材
５５      傾斜検出ユニット
５６      表示部（ＬＥＤ）
５７      電源部
５８      傾斜検出部（加速度センサ）
Ｉｓ      遊技島設備
【図１】
2009254640.tif 000003
【図２】
2009254640.tif 000004
【図３】
2009254640.tif 000005
【図４】
2009254640.tif 000006
【図５】
2009254640.tif 000007
【図６】
2009254640.tif 000008
【図７】
2009254640.tif 000009
【図８】
2009254640.tif 000010